【手続補正書】
【提出日】平成18年1月9日(2006.1.9)
【手続補正１】
【補正対象書類名】明細書
【補正対象項目名】発明の名称
【補正方法】変更
【補正の内容】
【発明の名称】表示装置、携帯端末及び折り畳み型携帯端末
【手続補正２】
【補正対象書類名】特許請求の範囲
【補正対象項目名】全文
【補正方法】変更
【補正の内容】
【特許請求の範囲】
【請求項１】
透光性を有する基板の一表面にマトリクス状に配置された複数の画素を有し、
前記複数の画素の各々は、前記基板の一表面側の第１の表示画面及び前記基板の一表面と反対側の第２の表示画面の方向に発光する発光素子を有し、
前記基板の一表面側に第１の偏光板を有し、前記基板の一表面と反対側に第２の偏光板を有し、
前記基板と前記第１の偏光板の間に第１の位相差板を有し、前記基板と前記第２の偏光板の間に第２の位相差板を有することを特徴とする表示装置。
【請求項２】
透光性を有する基板の一表面にマトリクス状に配置された複数の画素を有し、
前記複数の画素の各々は、前記基板の一表面側の第１の表示画面及び前記基板の一表面と反対側の第２の表示画面の方向に、白色に発光する発光素子を有し、
前記基板の一表面側に第１の偏光板を有し、前記基板の一表面と反対側に第２の偏光板を有し、
前記基板と前記第１の偏光板の間に第１の位相差板を有し、前記基板と前記第２の偏光板の間に第２の位相差板を有することを特徴とする表示装置。
【請求項３】
透光性を有する基板の一表面にマトリクス状に配置された複数の画素を有し、
前記複数の画素は、第１の画素、第２の画素及び第３の画素を有し、
前記第１の画素は、前記基板の一表面側の第１の表示画面及び前記基板の一表面と反対側の第２の表示画面の方向に、赤色に発光する第１の発光素子を有し、
前記第２の画素は、前記基板の一表面側の第１の表示画面及び前記基板の一表面と反対側の第２の表示画面の方向に、緑色に発光する第２の発光素子を有し、
前記第３の画素は、前記基板の一表面側の第１の表示画面及び前記基板の一表面と反対側の第２の表示画面の方向に、青色に発光する第３の発光素子を有し、
前記基板の一表面側に第１の偏光板を有し、前記基板の一表面と反対側に第２の偏光板を有し、
前記基板と前記第１の偏光板の間に第１の位相差板を有し、前記基板と前記第２の偏光板の間に第２の位相差板を有することを特徴とする表示装置。
【請求項４】
透光性を有する基板の一表面にマトリクス状に配置された複数の画素を有し、
前記複数の画素の各々は、前記基板の一表面側の第１の表示画面及び前記基板の一表面と反対側の第２の表示画面の方向に発光する発光素子と、前記発光素子の発光を制御するトランジスタと、を有し、
前記基板の一表面側に第１の偏光板を有し、前記基板の一表面と反対側に第２の偏光板を有し、
前記基板と前記第１の偏光板の間に第１の位相差板を有し、前記基板と前記第２の偏光板の間に第２の位相差板を有することを特徴とする表示装置。
【請求項５】
透光性を有する基板の一表面にマトリクス状に配置された複数の画素を有し、
前記複数の画素の各々は、前記基板の一表面側の第１の表示画面及び前記基板の一表面と反対側の第２の表示画面の方向に、白色に発光する発光素子と、前記発光素子の発光を制御するトランジスタと、を有し、
前記基板の一表面側に第１の偏光板を有し、前記基板の一表面と反対側に第２の偏光板を有し、
前記基板と前記第１の偏光板の間に第１の位相差板を有し、前記基板と前記第２の偏光板の間に第２の位相差板を有することを特徴とする表示装置。
【請求項６】
透光性を有する基板の一表面にマトリクス状に配置された複数の画素を有し、
前記複数の画素は、第１の画素、第２の画素及び第３の画素を有し、
前記第１の画素は、前記基板の一表面側の第１の表示画面及び前記基板の一表面と反対側の第２の表示画面の方向に、赤色に発光する第１の発光素子と、前記第１の発光素子の発光を制御する第１のトランジスタとを有し、
前記第２の画素は、前記基板の一表面側の第１の表示画面及び前記基板の一表面と反対側の第２の表示画面の方向に、緑色に発光する第２の発光素子と、前記第２の発光素子の発光を制御する第２のトランジスタとを有し、
前記第３の画素は、前記基板の一表面側の第１の表示画面及び前記基板の一表面と反対側の第２の表示画面の方向に、青色に発光する第３の発光素子と、前記第３の発光素子の発光を制御する第３のトランジスタとを有し、
前記基板の一表面側に第１の偏光板を有し、前記基板の一表面と反対側に第２の偏光板を有し、
前記基板と前記第１の偏光板の間に第１の位相差板を有し、前記基板と前記第２の偏光板の間に第２の位相差板を有することを特徴とする表示装置。
【請求項７】
請求項１乃至請求項６のいずれか一項において、
前記第１の偏光板と前記第２の偏光板の偏向方向がなす角度は、４０度乃至９０度であることを特徴とする表示装置。
【請求項８】
請求項２又は請求項５において、
前記発光素子は、第１の電極と第２の電極を有し、
前記第１の電極上に設けられた第１のカラーフィルタと、
前記第２の電極上に設けられた第２のカラーフィルタと、を有することを特徴とする表示装置。
【請求項９】
請求項１、請求項２、請求項４又は請求項５のいずれか一項において、
前記発光素子が含む一対の電極の一方は、酸化インジウム酸化スズ合金、酸化インジウム酸化亜鉛合金、酸化亜鉛、または珪素を含む酸化インジウム酸化スズ合金を含むことを特徴とする表示装置。
【請求項１０】
請求項１、請求項２、請求項４又は請求項５のいずれか一項において、
前記発光素子が含む一対の電極の一方は、銀、アルミニウム、リチウム、カルシウム、マグネシウム銀合金、マグネシウムインジウム合金、アルミニウムリチウム合金、カルシウムフッ素合金、またはカルシウム窒素合金を含むことを特徴とする表示装置。
【請求項１１】
請求項１、請求項２、請求項４又は請求項５のいずれか一項において、
前記発光素子が含む一対の電極の一方を通過する発光と、前記一対の電極の他方を通過する発光との透過率、吸収率及び反射率から選択された１つまたは複数は同一であることを特徴とする表示装置。
【請求項１２】
請求項１、請求項２、請求項４又は請求項５のいずれか一項において、
前記発光素子は、エレクトロルミネッセンス素子であることを特徴とする表示装置。
【請求項１３】
請求項３又は請求項６において、
前記第１の発光素子、前記第２の発光素子及び前記第３の発光素子が含む一対の電極の一方は、酸化インジウム酸化スズ合金、酸化インジウム酸化亜鉛合金、酸化亜鉛、または珪素を含む酸化インジウム酸化スズ合金を含むことを特徴とする表示装置。
【請求項１４】
請求項３又は請求項６において、
前記第１の発光素子、前記第２の発光素子及び前記第３の発光素子が含む一対の電極の一方は、銀、アルミニウム、リチウム、カルシウム、マグネシウム銀合金、マグネシウムインジウム合金、アルミニウムリチウム合金、カルシウムフッ素合金、またはカルシウム窒素合金を含むことを特徴とする表示装置。
【請求項１５】
請求項３又は請求項６において、
前記第１の発光素子、前記第２の発光素子及び前記第３の発光素子が含む一対の電極の一方を通過する発光と、前記一対の電極の他方を通過する発光との透過率、吸収率及び反射率から選択された１つまたは複数は同一であることを特徴とする表示装置。
【請求項１６】
請求項３又は請求項６において、
前記第１の発光素子、前記第２の発光素子及び前記第３の発光素子は、エレクトロルミネッセンス素子であることを特徴とする表示装置。
【請求項１７】
請求項１乃至請求項１６のいずれか一項に記載の前記表示装置を有する携帯端末。
【請求項１８】
請求項１乃至請求項１６のいずれか一項に記載の前記表示装置を有する折り畳み型携帯端末。
【請求項１９】
請求項１乃至請求項１６のいずれか一項に記載の前記表示装置とスピーカーを含む第１の筐体と、マイクロホンを含む第２の筐体を有する折り畳み型携帯端末。